(57)【特許請求の範囲】
【請求項１】
略矩形形状に形成されコンピュータのスロットに前部側を挿入されるとともに後部側を同コンピュータから突出させて実装される本体と、
上記後部側に所定部材を取り付け可能な開口形状に形成された取付孔と、
上記取付孔に係止する金具と、
上記本体に内蔵される送信アンテナと、
上記金具を上記取付孔に係止した場合に同金具の一部が接触する上記送信アンテナのグランド端子に接続されるグランド部と、を具備することを特徴とするカード状媒体。
【請求項２】
上記取付孔は、上記後部側の側面に外側に向けて立設した孔基部に上記本体の略長手方向に孔を貫通させて形成されることを特徴とする上記請求項１に記載のカード状媒体。
【請求項３】
上記取付孔は、上記後部側の側面に外側に向けて立設した孔基部に上記本体の略上下方向に孔を貫通させて形成されることを特徴とする上記請求項１に記載のカード状媒体。
【請求項４】
上記取付孔は、上記後部側の端側面に外側に向けて立設した孔基部に上記本体の略短手方向に孔を貫通させて形成されることを特徴とする上記請求項１に記載のカード状媒体。
【請求項５】
上記取付孔は、上記後部側の端側面に外側に向けて立設した孔基部に上記本体の略上下方向に孔を貫通させて形成されることを特徴とする上記請求項１に記載のカード状媒体。
【請求項６】
上記取付孔は、上記後部側の上面部あるいは下面部に外側に向けて立設した孔基部に上記本体の略長手方向に孔を貫通させて形成されることを特徴とする上記請求項１に記載のカード状媒体。
【請求項７】
上記取付孔は、上記後部側の上面部あるいは下面部に外側に向けて立設した孔基部に上記本体の略短手方向に孔を貫通させて形成されることを特徴とする上記請求項１に記載のカード状媒体。
【請求項８】
上記取付孔は、上記後部側の上面部から下面部に孔を貫通させて形成されることを特徴とする上記請求項１に記載のカード状媒体。
【請求項９】
上記グランド部は、上記取付孔の孔内周に配設されることを特徴とする上記請求項１から請求項８のいずれか一項に記載のカード状媒体。
【請求項１０】
上記金具は、第一掛止部と、第二掛止部とを略直交して接続した略Ｌ字形状に形成され、上記第一掛止部を上記後部側の上面部から下面部に貫通して形成された取付孔に挿入するとともに、上記第二掛止部を後部側の上面部あるいは下面部に配置することを特徴とする上記請求項１から請求項９のいずれか一項に記載のカード状媒体。
【請求項１１】
上記送信アンテナは、上記本体の挿入方向に対して略垂直に配設されるとともに、上記第二掛止部は、この送信アンテナに平行に上記上面部あるいは下面部に配置されることを特徴とする上記請求項１０に記載のカード状媒体。
【請求項１２】
上記取付孔は、上記後部側にて上記本体の実装方向に対して対称に形成されることを特徴とする上記請求項１〜請求項１１のいずれか一項に記載のカード状媒体。
【請求項１３】
上記後部側は、上記側面に滑り止め形状が形成されることを特徴とする上記請求項１〜請求項１２のいずれか一項に記載のカード状媒体。
【発明の詳細な説明】
【０００１】
【発明の属する技術分野】
本発明は、カード状媒体に関する。
【０００２】
【従来の技術】
従来、この種のカード状媒体としては、矩形形状に形成された本体の前部側をコンピュータのスロットに挿入し、後部側をコンピュータから突出させて実装されるものが知られている。実装するに際しては、後部側を把持してコンピュータのスロットに挿入したり、このスロットから取り外したりしていた。また、カード状媒体として無線カードを採用した場合、本体には送信アンテナが内蔵され、この送信アンテナの指向特性に基づいて電波が発信されている。
【０００３】
【発明が解決しようとする課題】
上述した従来のカード状媒体においては、コンピュータのスロットに対して簡単に着脱可能であるため盗難される可能性があった。また、本体に内蔵されている送信アンテナは固定されているので電波の指向特性を向上させることができないという課題があった。
【０００４】
本発明は、上記課題にかんがみてなされたもので、コンピュータ本体等に接続されたワイヤー等の盗難防止用具を装着し盗難防止を図ることが可能であるとともに、送信アンテナの指向特性を向上させることが可能なカード状媒体の提供を目的とする。
【０００５】
【課題を解決するための手段】
上記目的を達成するため、本発明は、略矩形形状に形成されコンピュータのスロットに前部側を挿入されるとともに後部側を同コンピュータから突出させて実装される本体と、上記後部側に所定部材を取り付け可能な開口形状に形成された取付孔とを具備する構成としてある。
上記のように構成した発明において、本体は略矩形形状に形成されており、カード状媒体をコンピュータに実装するに際して、前部側をスロットに挿入すると、後部側はコンピュータから突出する。そして、この後部側に所定部材を取り付け可能な開口形状の取付孔を形成する。このようにコンピュータから突出する後部側に取付孔を形成することによって、所定部材をカード状媒体に装着可能とする。ここで、所定部材は特に限定されるものではなく、例えば、所定部材として盗難防止用具（ワイヤー、鍵等）をカード状媒体に装着すれば、カード状媒体が勝手に取り外されてしまい盗難されることを防止することが可能になる。また、所定部材として後述する金具を取り付けるようにしても良い。カード状媒体は特に限定されるものではなく、ＰＣカードであっても良いし、ＩＣカードであっても良い。
【０００６】
取付孔の構成の一例として、請求項２にかかる発明は、上記請求項１に記載のカード状媒体において、上記取付孔は、上記後部側の側面に外側に向けて立設した孔基部に上記本体の略長手方向に孔を貫通させて形成される構成としてある。
上記のように構成した請求項２にかかる発明においては、孔基部をコンピュータに実装した際に突出する後部側の側面に外側に向けて立設して形成する。そして、この孔基部に対して本体の略長手方向に貫通する孔を形成することによって取付孔を形成する。
【０００７】
取付孔の構成の他の一例として、請求項３にかかる発明は、上記請求項１に記載のカード状媒体において、上記取付孔は、上記後部側の側面に外側に向けて立設した孔基部に上記本体の略上下方向に孔を貫通させて形成される構成としてある。
上記のように構成した請求項３にかかる発明においては、孔基部をコンピュータに実装した際に突出する後部側の側面に外側に向けて立設した形成する。そして、この孔基部に対して本体の略上下方向に貫通する孔を形成することによって取付孔を形成する。
【０００８】
取付孔の構成の他の一例として、請求項４にかかる発明は、上記請求項１に記載のカード状媒体において、上記取付孔は、上記後部側の端側面に外側に向けて立設した孔基部に上記本体の略短手方向に孔を貫通させて形成される構成としてある。
上記のように構成した請求項４にかかる発明においては、孔基部を後部側の端側面に外側に向けて立設して形成する。そして、この孔基部に対して本体の略短手方向に貫通する孔を形成することによって取付孔を形成する。
【０００９】
取付孔の構成の他の一例として、請求項５にかかる発明は、上記請求項１に記載のカード状媒体において、上記取付孔は、上記後部側の端側面に外側に向けて立設した孔基部に上記本体の略上下方向に孔を貫通させて形成される構成としてある。
上記のように構成した請求項５にかかる発明においては、孔基部を後部側の端側面に外側に向けて立設して形成する。そして、この孔基部に対して本体の略上下方向に貫通する孔を形成することによって取付孔を形成する。
【００１０】
取付孔の構成の他の一例として、請求項６にかかる発明は、上記請求項１に記載のカード状媒体において、上記取付孔は、上記後部側の上面部あるいは下面部に外側に向けて立設した孔基部に上記本体の略長手方向に孔を貫通させて形成される構成としてある。
上記のように構成した請求項６にかかる発明においては、孔基部を後部側の上面部あるいは下面部に外側に向けて立設して形成する。そして、この孔基部に対して本体の略長手方向に貫通する孔を形成することによって取付孔を形成する。
【００１１】
取付孔の構成の他の一例として、請求項７にかかる発明は、上記請求項１に記載のカード状媒体において、上記取付孔は、上記後部側の上面部あるいは下面部に外側に向けて立設した孔基部に上記本体の略短手方向に孔を貫通させて形成される構成としてある。
上記のように構成した請求項７にかかる発明においては、孔基部を後部側の上面部あるいは下面部に外側に向けて立設して形成する。そして、この孔基部に対して本体の略短手方向に貫通する孔を形成することによって取付孔を形成する。
【００１２】
取付孔の構成の他の一例として、請求項８にかかる発明は、上記請求項１に記載のカード状媒体において、上記取付孔は、上記後部側の上面部から下面部に孔を貫通させて形成される構成としてある。
上記のように構成した請求項８にかかる発明においては、取付孔を後部側の上面部から下面部に貫通する孔を形成することによって実現する。
【００１３】
取付孔を利用してカード状媒体に配置される送信アンテナの指向特性を向上させることができると好適である。そこで、本発明は、上記取付孔に係止する金具と、上記本体に内蔵される送信アンテナと、上記金具を上記取付孔に係止した場合に同金具の一部が接触する上記送信アンテナのグランド端子に接続されたグランド部とを有する構成としてある。
上記のように構成した発明においては、取付孔に金具を係止するとともに、この金具に本体に内蔵される送信アンテナのグランド端子と接続するグランド部に接触させることによって、金具を送信アンテナの反射器として作用させ、当該送信アンテナの指向特性の向上を図る。
【００１４】
グランド部の構成の一例として、請求項９にかかる発明は、上記グランド部は、上記取付孔の孔内周に配設される構成としてある。
上記のように構成した請求項９にかかる発明においては、グランド部を取付孔の孔内周に配設する。
【００１５】
上述した金具の具体的な形状および装着方法として、請求項１０にかかる発明は、上記金具は、第一掛止部と、第二掛止部とを略直交して接続した略Ｌ字形状に形成され、上記第一掛止部を上記後部側の上面部から下面部に貫通して形成された取付孔に挿入するとともに、上記第二掛止部を後部側の上面部あるいは下面部に配置する構成としてある。
上記のように構成した請求項１０にかかる発明においては、金具を第一掛止部と、第二掛止部とを略直交して接続した略Ｌ字形状に形成する。そして、第一掛止部を後部側の上面部から下面部に貫通して形成された取付孔に挿入し、第二掛止部を後部側の上面部あるいは下面部に配置する。
【００１６】
指向特性をより向上させることが可能な金具の配置方法として、請求項１１にかかる発明は、上記送信アンテナは、上記本体の挿入方向に対して略垂直に配設されるとともに、上記第二掛止部は、この送信アンテナに平行に上記上面部あるいは下面部に配置される構成としてある。
上記のように構成した請求項１１にかかる発明においては、金具の第二掛止部を送信アンテナに略平行に配置する。これによって、より送信アンテナの指向特性を向上させることが可能になる。
【００１７】
コンピュータに実装する位置が異なってもカード状媒体に適宜盗難防止用ワイヤー等を装着することが可能な構成の一例として、請求項１２にかかる発明は、上記取付孔は、上記後部側にて上記本体の実装方向に対して対称に形成される構成としてある。
上記のように構成した請求項１２にかかる発明においては、取付孔を後部側にて本体の実装方向に対して対称に形成する。
【００１８】
利用者はカード状媒体の後部側を把持してコンピュータに対して、取り付けおよび取り外しを行う。このとき、把持し易い形状が後部側に形成されていると好適である。そこで、請求項１３にかかる発明は、上記後部側は、上記側面に滑り止め形状が形成される構成としてある。
上記のように構成した請求項１３にかかる発明においては、後部側の側面に滑り止め形状を形成する。
【００１９】
【発明の効果】
以上説明したように本発明は、盗難防止を図ることが可能なカード状媒体を提供することができる。
さらに、本発明によれば、カード状媒体に内蔵された送信アンテナの指向特性を向上させることが可能になる。
さらに、請求項９にかかる発明によれば、いずれの取付孔の形状においても送信アンテナの指向特性の向上を図ることが可能になる。
さらに、請求項１０にかかる発明によれば、金具を簡易な形状で構成することができる。
さらに、請求項１１にかかる発明によれば、より送信アンテナの指向特性を向上させることが可能になる。
さらに、請求項１２にかかる発明によれば、コンピュータに実装する位置が異なっても適宜盗難防止用ワイヤーを装着するできる。
さらに、請求項１３にかかる発明によれば、カード状媒体を把持し易くすることができる。
【００２０】
【発明の実施の形態】
ここでは、下記の順序に従って本発明の実施形態について説明する。
（１）ＰＣカードの構成について：
（２）盗難防止の方法について：
（３）送信アンテナの指向特性向上について：
（４）ＰＣカードの変形例について：
（５）まとめ：
【００２１】
（１）ＰＣカードの構成について：
図１は本発明にかかるカード状媒体として適用したＰＣカードの構成を示した構成図である。図２はこのＰＣカードがコンピュータに実装された状態を示した外観図である。また、図３はＰＣカードがコンピュータに実装された状態の断面図である。図において、ＰＣカード１０は、略矩形形状に形成されるとともに、前部端１０ａにコンピュータ２０の側面に形成されたスロット２１の奥側に配設される端子２２と接続するコネクタ部１１が形成されている。そして、このＰＣカード１０がコンピュータ２０のスロット２１に実装された場合、前部側１２は同スロット２１の内部に収容され、後部側１３はスロット２１から突出して外部に露出する。従って、利用者はこの後部側１３を把持しつつＰＣカード１０をコンピュータ２０のスロット２１に対して着脱することになる。このように、後部側１３を把持してＰＣカード１０を簡単にコンピュータ２０から着脱できるため、状況によってはＰＣカード１０をコンピュータ２０から勝手に取り外されてしまい、盗難される恐れがある。
【００２２】
そこで、本実施形態においては、盗難防止用ワイヤー等をこのＰＣカード１０に装着可能とするため、コンピュータ１０に実装した際に、外部に露出する後部側１３に取付孔１４，１５を形成する。この取付孔１４，１５が本発明にかかる取付孔を構成する。取付孔１４，１５は、後部側１３の上面部１３ａから下面部１３ｂに貫通して形成されており、略方形形状に形成されている。むろん、取付孔１４，１５の形状は略方形形状に限定されるものではなく、円形形状であっても良いし、多角形形状であっても良い。そして、この取付孔１４，１５に盗難防止用ワイヤー等を取り付けて、この盗難防止用ワイヤー等の他方をコンピュータ２０等の固定物に取り付けることによって、ＰＣカード１０の盗難防止を図ることを可能にする。
【００２３】
（２）盗難防止の方法について：
図４は、上述した取付孔１４，１５を利用してＰＣカード１０の盗難防止を図った場合の構成の一例を示した構成図である。
同図においては、ＰＣカード１０をコンピュータ２０のスロット２１に実装した場合の要部を拡大して示している。上述したように、ＰＣカード１０をスロット２１に実装すると、後部側１３が外部に露出する。本実施形態においては、コンピュータ２０の側面２３に外側に向けて立設され貫通孔が形成されたコンピュータ側取付部２４を形成する。
【００２４】
そして、ＰＣカード１０を実装すると、盗難防止用ワイヤー３０を一方を取付孔１４，１５のいずれかに装着するとともに、同盗難防止用ワイヤー３０の他方をコンピュータ側取付部２４に装着する。本実施形態においては、コンピュータ側取付部２４に対面する取付孔１４に盗難防止用ワイヤー３０を装着する。この盗難防止用ワイヤー３０は、端部に錠前取付孔３１，３１が形成されており、盗難防止用ワイヤー３０を取付孔１４，１５およびコンピュータ側取付部２４に装着した後に、この錠前取付孔３１，３１に錠前３２を取り付けることによって、環状となりＰＣカード１０をコンピュータ２０から取り外せないようにする。これによって、ＰＣカード１０の盗難防止を実現する。
【００２５】
本実施形態においては、後部側１３にＰＣカード１０の短手方向の左右対称に取付孔１４，１５を形成する構成を採用している。これは、図５に示すようにコンピュータ２０の他方の側面２５にコンピュータ側取付部２６が形成されているとともに、スロット２１ａが形成されている場合に、ＰＣカード１０をこのスロット２１ａに実装すると、取付孔１５がコンピュータ側係止部１５に対面するからである。従って、かかる場合には、取付孔１５およびコンピュータ側取付部２６に盗難防止用ワイヤー３０を装着することによって、ＰＣカード１０をコンピュータ２０から取り外せないようにする。
【００２６】
すなわち、取付孔１４，１５をＰＣカード１０の短手方向の左右対称に形成することによって、コンピュータ２０の側面２３，２５のどちらにコンピュータ側取付部２４，２６およびスロット２１，２１ａが形成されていても最短距離で盗難防止用ワイヤー３０を取り付けることができて好適である。むろん、取付孔１４，１５はＰＣカード１０の短手方向の左右対称に形成する構成に限定されるものではなく、後部側１３のいずれかの位置に一つ形成するようにしても良いことは言うまでもない。
【００２７】
以上説明したように、ＰＣカード１０の後部側１３に取付孔１４，１５を形成するとともに、この取付孔１４，１５に盗難防止用ワイヤー３０を装着し、同盗難防止用ワイヤー３０をコンピュータ２０のコンピュータ側取付部２４，２６に取り付けることによって、ＰＣカード１０が勝手に取り外され盗難されてしまうことを防止することが可能になる。ここで、ＰＣカード１０はコンピュータ２０で使用される機能拡張用のカード型周辺装置であり、対応する機能は各種のものがある。例えば、モデムカード、ＬＡＮカード、ＳＣＳＩカード等がある。
【００２８】
また、これらの機能を実現する構成として、ＰＣカード１０に有線ケーブルを装着し、この有線ケーブルを介して機能を実現するものや、ＰＣカード１０に送受信アンテナを配設することによって、電波を介して機能を実現するものがある。この送信アンテナは所定の指向特性を備えるように設計されてＰＣカード１０の内部の基板に配設される。この指向特性は送信アンテナが基板上に配設されＰＣカード１０が製造されてしまうと、変更することができない。そこで、本実施形態においては、上述してきた盗難防止用にＰＣカード１０の後部側１３に形成した取付孔１５に後述する金具を係止することによって、この送信アンテナの指向特性を改善することを可能にする。
【００２９】
（３）送信アンテナの指向特性向上について：
図６は、無線機能を実現可能なＰＣカード１０の構成を示した構成図である。
同図において、ＰＣカード１０は内部に無線機能を実現する基板１６が配設されている。そして、基板１６の後部側１３の端部には電波を発信するための送信アンテナ１７と、電波を受信するための受信アンテナ１８が配置されている。そして、本実施形態においては、取付孔１５を送信アンテナ１７の周囲に形成するとともに、この取付孔１５に金具を係止することによって、当該金具に送信アンテナ１７の反射器の作用を備えさせ、指向特性の向上を図る。
【００３０】
図７は、取付孔１５に係止する金具の外観図である。また、図８は金具を取付孔１５に係止した状態を示した図である。図において、金具Ｍは略Ｌ字形状に形成されている。このとき、金具Ｍを第一係止部Ｍ１と、第二係止部Ｍ２とにより構成し、第一係止部Ｍ１の端部から略垂直に第二係止部Ｍ２を折り返して略Ｌ字形状としている。そして、この金具Ｍを取付孔１５に係止するに際しては、第一係止部Ｍ１を取付孔１５に挿入するとともに、第二係止部Ｍ２を後部側１３の上面部１３ａに配置する。このとき、第二係止部Ｍ２を送信アンテナ１７に略平行になるように配置する。このように第二係止部Ｍ２を送信アンテナ１７に略平行に配置することによって、金具Ｍが送信アンテナ１７の反射器として作用し、同送信アンテナ１７の指向特性が向上することになる。
【００３１】
上述したように金具Ｍを送信アンテナ１７の反射器として作用させる場合、金具Ｍを送信アンテナ１７のグランド端子に接続する必要がある。そこで、次に金具Ｍに対するこのグランド端子の接続方法について説明する。図９は、ＰＣカード１０の後部側１３の外装を取り除き基板１６を露出させた状態の構成図である。同図において、基板１６上には送信アンテナ１７をグランドに接地させるためのグランド端子１７ａが配線されている。本実施形態においては、このグランド端子１７ａを基板１６に形成されている取付孔１５の外枠まで延設し、取付孔１５に挿入された金具Ｍの第一係止部Ｍ１と接触するようにグランド部１７ｂを形成する。
【００３２】
図１０は、グランド部１７ｂの要部を拡大した拡大図である。
同図においては、基板１６に形成された取付孔１５に挿入された金具Ｍの第一係止部Ｍ１は、取付孔１５の外枠より若干内側に突出して形成されているグランド部１７ｂに接触する。これにより、金具Ｍは送信アンテナ１７の反射器として機能することとなる。また、グランド部１７ｂは、図９および図１０に示すとおり、基板１６に形成される取付孔１５の外枠の一部に配置する構成に限定されない。図１１は、グランド部１７ｂの変形例を示した拡大図である。同図においては、断面を示しており、グランド部１７ｂを基板１６と外装との間に配置する取付孔１５の略孔形状に形成した金属枠１７ｂ１としても良い。これにより、第一係止部Ｍ１は確実にグランド部１７ｂ１に接触することとなり、送信アンテナ１７の指向特性をより向上させることが可能になる。
【００３３】
ここで、上述してきた取付孔１５に金具Ｍを係止して送信アンテナ１７の指向特性を向上させる手法を実施した場合の指向特性図を示す。図１２は、金具Ｍを取付孔１５に係止しない場合の指向特性図を示している。すなわち、無線機能を有するＰＣカード１０の初期仕様である。同図においては、円グラフの中心に送信アンテナ１７が位置した場合の指向特性を示している。また、円グラフの中心から外側に向けて伸びる軸は、利得を示している。このように、ＰＣカード１０の初期仕様の指向特性は、右前方にやや傾いていることが分かる。図１３は、金具Ｍを取付孔１５に係止した場合の指向特性図を示している。同図においては、指向特性が全面に調整できるとともに、利得も全体的にあがっていることが分かる。以上より、金具Ｍが送信アンテナ１７の反射器として作用していることが分かる。
【００３４】
（４）ＰＣカードの変形例について：
上述してきた実施形態においては、盗難防止用ワイヤー３０を装着する取付孔１４，１５をＰＣカード１０の後部側１３の上面部１３ａから下面部１３ｂに貫通させて形成する構成を採用したが、この盗難防止用ワイヤー３０を装着するための孔をスロット２１から突出している後部側１３に形成するという観点においては、このように上面部１３ａから下面部１３ｂに貫通させる態様に限定されるものではない。以下、図１４〜図１９にＰＣカード１０の後部側１３に形成する取付孔の変形例を示す。
【００３５】
図１４は、取付孔の第一変形例を示したＰＣカードの構成図である。
同図においては、取付孔４０をＰＣカード１０の後部側１３の側面１３ｃ，１３ｄに形成する。この取付孔４０は孔基部４０ａと、孔４０ｂとにより構成されており、孔基部４０ａを側面１３ｃ，１３ｄから外側に立設する。そして、この側面１３ｃ，１３ｄに立設した孔基部４０ａに対して後部側１３の上面から下面方向に貫通する孔４０ｂを形成する。
【００３６】
図１５は、取付孔の第二変形例を示したＰＣカードの構成図である。
同図においては、取付孔４１をＰＣカード１０の後部側１３の側面１３ｃ，１３ｄに形成する。この取付孔４１は孔基部４１ａと、孔４１ｂとにより構成されており、孔基部４１ａを側面１３ｃ，１３ｄから外側に立設する。そして、この側面１３ｃ，１３ｄに立設した孔基部４１ａに対して後部側１３の前方から後方に貫通する孔４１ｂを形成する。
【００３７】
図１６は、取付孔の第三変形例の構成を示した構成図である。
同図においては、取付孔４２をＰＣカード１０の後部側１３の端面１３ｅに形成する。この取付孔４２は孔基部４２ａと、孔４２ｂとにより構成されており、孔基部４２ａを端面１３ｅから外側に立設する。そして、この端面１３ｅに立設した孔基部４２ａに対して後部側１３の上面から下面方向に貫通する孔４２ｂを形成する。
【００３８】
図１７は、取付孔の第四変形例の構成を示した構成図である。
同図においては、取付孔４３をＰＣカード１０の後部側１３の端面１３ｅに形成する。この取付孔４３は孔基部４３ａと、孔４３ｂとにより構成されており、孔基部４３ａを端面１３ｅから外側に立設する。そして、この端面１３ｅに立設した孔基部４３ａに対して後部側１３の短手方向に貫通する孔４３ｂを形成する。
【００３９】
図１８は、取付孔の第五変形例の構成を示した構成図である。
同図においては、取付孔４４をＰＣカード１０の後部側１３の上面部１３ａに形成する。この取付孔４４は孔基部４４ａと、孔４４ｂとにより構成されており、孔基部４４ａを上面部１３ａから外側に立設する。そして、この上面部１３ａに立設した孔基部４４ａに対して後部側１３の短手方向に貫通する孔４４ｂを形成する。この場合、取付孔４４を後部側１３の下面部１３ｂ上に形成する構成を採用しても良い。
【００４０】
図１９は、取付孔の第六変形例の構成を示した構成図である。
同図において、取付孔４０をＰＣカード１０の後部側１３の側面１３ｃ，１３ｄに形成する。この取付孔４０は孔基部４０ａと、孔４０ｂとにより構成されており、孔基部４０ａを側面１３ｃ，１３ｄから外側に立設する。そして、この側面１３ｃ，１３ｄに立設した孔基部４０ａに対して後部側１３の上面から下面方向に貫通する孔４０ｂを形成する。この場合、下面部１３ｂに取付孔４５を形成しても良い。
【００４１】
上述してきた第一〜第六変形例においても、金具Ｍを装着可能であることは言うまでもなく、かかる場合は、グランド部１７ｂを孔基部４０〜４５の内周面に配設して、取付孔４０〜４５に装着された金具Ｍと接触させて送信アンテナ１７の指向特性を向上させても良いし、後部側１３の所定位置にグランド部１７ｂを露出させて配設し、取付孔４０〜４５に装着された金具Ｍと接触させることによって、送信アンテナ１７の指向特性を向上させるようにしても良い。
【００４２】
ＰＣカード１０は利用者によって後部側１３を把持されつつ、スロット２１に対して取り付け、および、取り外しがなされる。このとき、この後部側１３の側面に滑り止めがあると取り付け／取り外し時に好適である。図２０は、後部側１３に滑り止めを形成した場合の構成を示した構成図である。同図においては、ＰＣカード１０の後部側１３の側面１３ｃ，１３ｄに凹凸形状に形成した凹凸部５０を配設する。これにより、利用者はこの凹凸部５０を把持することによって、ＰＣカード１０の取り付け／取り外し作業を安定して実施することが可能になる。
【００４３】
本実施形態においては、ＰＣカード１０に取付孔１４，１５を形成し、この取付孔１４，１５に盗難防止用ワイヤー３０を装着することによって当該ＰＣカード１０の盗難防止を図る構成を採用したが、むろん、盗難防止を行う必要のある着脱可能にコンピュータ２０に実装されるカード状媒体はＰＣカード１０に限定されるものではない。従って、ＩＣカード等のカード状媒体に取付孔を形成し、盗難防止用ワイヤー３０等を装着することによって、盗難防止を図るようにしても良いことは言うまでもない。
【００４４】
このように、ＰＣカード１０をコンピュータ２０のスロット２１に実装した際に、外部に露出する後部側１３に取付孔１４，１５を形成し、この取付孔１４，１５にコンピュータ側取付部２４に取り付けられた盗難防止用ワイヤー３０を装着することにより、ＰＣカード１０をコンピュータ２０から取り外すことをできなくすることによって、当該ＰＣカード１０の盗難防止を図ることを可能にする。また、この取付孔１５に金具Ｍを装着することによって、送信アンテナ１７の指向特性を向上させることが可能になる。
【図面の簡単な説明】
【図１】発明にかかるカード状媒体として適用したＰＣカードの構成を示した構成図である。
【図２】ＰＣカードがコンピュータに実装された状態を示した外観図である。
【図３】ＰＣカードがコンピュータに実装された状態の断面図である。
【図４】ＰＣカードの盗難防止を図った場合の構成の一例を示した構成図である。
【図５】コンピュータの上面図である。
【図６】無線機能を実現可能なＰＣカードの構成を示した構成図である。
【図７】取付孔に係止する金具の外観図である。
【図８】金具を取付孔に係止した状態を示した図である。
【図９】ＰＣカードの後部側の外装を取り除き基板を露出させた状態の構成図である。
【図１０】グランド部の要部を拡大した拡大図である。
【図１１】グランド部の変形例を示した拡大図である。
【図１２】金具を取付孔に係止しない場合の指向特性図である。
【図１３】金具を取付孔に係止した場合の指向特性図である。
【図１４】取付孔の第一変形例を示したＰＣカードの構成図である。
【図１５】取付孔の第二変形例を示したＰＣカードの構成図である。
【図１６】取付孔の第三変形例を示したＰＣカードの構成図である。
【図１７】取付孔の第四変形例を示したＰＣカードの構成図である。
【図１８】取付孔の第五変形例を示したＰＣカードの構成図である。
【図１９】取付孔の第六変形例を示したＰＣカードの構成図である。
【図２０】ＰＣカードに滑り止め形状を形成した場合のＰＣカードの構成図である。
【符号の説明】
１０…ＰＣカード
１１…コネクタ部
１２…前部側
１３…後部側
１３ａ…上面部
１３ｂ…下面部
１３ｃ…側面
１３ｄ…側面
１３ｅ…端面
１４…取付孔
１５…取付孔
１６…基板
１７…送信アンテナ
１７ａ…グランド端子
１７ｂ…グランド部
１７ｂ１…グランド部
１８…受信アンテナ
２０…コンピュータ
２１…スロット
２１ａ…スロット
２２…端子
２３…側面
２４…コンピュータ側取付部
２５…側面
２６…コンピュータ側取付部
３０…盗難防止用ワイヤー
３１…錠前取付孔
３２…錠前
４０〜４５…取付孔
４０ａ〜４５ａ…孔基板
４０ｂ〜４５ｂ…孔
５０…凹凸部
Ｍ…金具
Ｍ１…第一係止部
Ｍ２…第二係止部
【図１】
0004605954.tif 000002
【図２】
0004605954.tif 000003
【図３】
0004605954.tif 000004
【図４】
0004605954.tif 000005
【図５】
0004605954.tif 000006
【図６】
0004605954.tif 000007
【図７】
0004605954.tif 000008
【図８】
0004605954.tif 000009
【図９】
0004605954.tif 000010
【図１０】
0004605954.tif 000011
【図１１】
0004605954.tif 000012
【図１２】
0004605954.tif 000013
【図１３】
0004605954.tif 000014
【図１４】
0004605954.tif 000015
【図１５】
0004605954.tif 000016
【図１６】
0004605954.tif 000017
【図１７】
0004605954.tif 000018
【図１８】
0004605954.tif 000019
【図１９】
0004605954.tif 000020
【図２０】
0004605954.tif 000021